(57)【特許請求の範囲】
【請求項１】
画像を表示する表示部を備えた頭部装着型ディスプレイであって、
前記頭部装着型ディスプレイにおける前記表示部の位置調整ガイダンスを再生する再生部と、
累積使用時間と使用回数と前記頭部装着型ディスプレイを前回使用してから今回使用するまでの経過時間との少なくとも１つに基づいて、前記再生部により前記位置調整ガイダンスを再生するか否かを決定するか、または、前記再生部による前記位置調整ガイダンスの開示レベルを決定する決定部と
を備えたことを特徴とする頭部装着型ディスプレイ。
【請求項２】
請求項１に記載の頭部装着型ディスプレイにおいて、
前記決定部は、前記累積使用時間と前記使用回数と前記経過時間との少なくとも１つに基づいて、前記再生部による前記位置調整ガイダンスの前記開示レベルを決定し、
前記再生部は、前記決定部により決定した前記開示レベルに応じて、前記位置調整ガイダンスに含まれる調整手順の開示の種類の変更と、前記位置調整ガイダンスに含まれる開示内容の変更の少なくとも一方を行う
ことを特徴とする頭部装着型ディスプレイ。
【請求項３】
請求項１に記載の頭部装着型ディスプレイにおいて、
前記再生部は、前記表示部に前記画像を表示中に前記位置調整ガイダンスを再生する
ことを特徴とする頭部装着型ディスプレイ。
【請求項４】
請求項１に記載の頭部装着型ディスプレイにおいて、
ユーザによる前記表示部の調整内容を検出する検出部をさらに備え、
前記決定部は、前記累積使用時間と前記使用回数と前記経過時間との少なくとも１つに加えて、前記調整内容に基づいて、前記再生部により前記位置調整ガイダンスを再生するか否かを決定するか、または、前記再生部による前記位置調整ガイダンスの開示レベルを決定する
ことを特徴とする頭部装着型ディスプレイ。
【請求項５】
請求項１に記載の頭部装着型ディスプレイにおいて、
前記再生部による前記位置調整ガイダンスの再生中に、前記位置調整ガイダンスの再生を中止するユーザ指示を受け付ける受付部をさらに備える
ことを特徴とする頭部装着型ディスプレイ。
【請求項６】
請求項１に記載の頭部装着型ディスプレイにおいて、
前記再生部は、前記頭部装着型ディスプレイの使用開始から所定時間が経過すると、前記位置調整ガイダンスを再生する
ことを特徴とする頭部装着型ディスプレイ。
【発明の詳細な説明】
【技術分野】
【０００１】
本発明は、表示部を備え、ユーザの頭部に装着可能な頭部装着型ディスプレイに関する。
【背景技術】
【０００２】
近年、表示素子の小型化などにより、ユーザの頭部に装着可能な頭部装着型ディスプレイなどの表示装置が考えられている。このような表示装置は、表示部を適切な位置に調整して使用するのが好ましい。そこで、例えば、特許文献１の発明では、使用時に画像表示部が下を向いてしまうのを防ぐ技術が提案されている。
【特許文献１】国際公開番号  ＷＯ２００５／０６４９３０号公報
【発明の開示】
【発明が解決しようとする課題】
【０００３】
しかし、実際の使用時に表示部を適切な位置に調整する際には、複数箇所について精細な調整が必要となる。このような表示部の位置の調整においては、調整に要する時間や調整に関する知識がユーザによって大きく異なる。
本発明は、表示部を備え、ユーザの頭部に装着可能な頭部装着型ディスプレイにおいて、ユーザに応じた位置調整ガイダンスを行うことを目的とする。
【課題を解決するための手段】
【０００４】
本発明の頭部装着型ディスプレイは、画像を表示する表示部を備えた頭部装着型ディスプレイであって、前記頭部装着型ディスプレイにおける前記表示部の位置調整ガイダンスを再生する再生部と、累積使用時間と使用回数と前記頭部装着型ディスプレイを前回使用してから今回使用するまでの経過時間との少なくとも１つに基づいて、前記再生部により前記位置調整ガイダンスを再生するか否かを決定するか、または、前記再生部による前記位置調整ガイダンスの開示レベルを決定する決定部とを備える。
【０００５】
なお、好ましくは、前記決定部は、前記累積使用時間と前記使用回数と前記経過時間との少なくとも１つに基づいて、前記再生部による前記位置調整ガイダンスの前記開示レベルを決定し、前記再生部は、前記決定部により決定した前記開示レベルに応じて、前記位置調整ガイダンスに含まれる調整手順の開示の種類の変更と、前記位置調整ガイダンスに含まれる開示内容の変更の少なくとも一方を行っても良い。
【０００６】
また、好ましくは、前記再生部は、前記表示部に前記画像を表示中に前記位置調整ガイダンスを再生しても良い。
また、好ましくは、ユーザによる前記表示部の調整内容を検出する検出部をさらに備え、前記決定部は、前記累積使用時間と前記使用回数と前記経過時間との少なくとも１つに加えて、前記調整内容に基づいて、前記再生部により前記位置調整ガイダンスを再生するか否かを決定するか、または、前記再生部による前記位置調整ガイダンスの開示レベルを決定しても良い。
【０００７】
また、好ましくは、前記再生部による前記位置調整ガイダンスの再生中に、前記位置調整ガイダンスの再生を中止するユーザ指示を受け付ける受付部をさらに備えても良い。
また、好ましくは、前記再生部は、前記頭部装着型ディスプレイの使用開始から所定時間が経過すると、前記位置調整ガイダンスを再生しても良い。
【発明の効果】
【０００８】
本発明の頭部装着型ディスプレイによれば、ユーザに応じた位置調整ガイダンスを行うことができる。
【発明を実施するための最良の形態】
【０００９】
以下、図面に基づいて本発明の実施形態について説明する。
図１は、頭部装着型ディスプレイ１００の外観図である。頭部装着型ディスプレイ１００は、図１に示すように本体１０１とリモートコントローラ１０２とターミナル１０３とから構成される。本体１０１とリモートコントローラ１０２とは、ケーブル１４０により接続される。また、リモートコントローラ１０２とターミナル１０３とは、ケーブル１４１により接続される。なお、ケーブル１４０およびケーブル１４１に代えて、無線で本体１０１とリモートコントローラ１０２とターミナル１０３とを接続する構成でも良い。
【００１０】
本体１０１は、通信部１１０、スピーカ１１１、表示部１１２、支持アーム１１２ａを備える。表示部１１２は、透過型ＬＣＤや有機ＥＬディスプレイなどの不図示の画像表示素子と画像表示素子の映像を拡大してユーザの眼に投影する不図示の光学系とを備える。なお、画像表示素子として、反射型ＬＣＤや、自発光型の素子を２次元的に配列したものなどの画像表示素子を用いても良い。
【００１１】
表示部１１２は、支持アーム１１２ａと一体となって形成される。支持アーム１１２ａは、図１の矢印ａの方向にスライドして移動する。表示部１１２および支持アーム１１２ａは、画像観察時には、図１の実線で示す位置に配置される。また、表示部１１２および支持アーム１１２ａは、画像観察時以外の場合には、軸ｂを中心に回動され、表示部１１２がユーザの頭頂部に配置される（図１の点線で示す位置）。この結果、表示部１１２は、画像観察時以外の場合には通信部１１０の近傍に配置され、ユーザの視界を遮らない。また、支持アーム１１２ａは、不図示の駆動部により図１の軸ｂを中心として、図１の矢印ｃの方向に回転可能である。したがって、前述した矢印ａの方向のスライドと、矢印ｃの方向の回転とにより、表示部１１２の位置をユーザの眼前に正しく調整することができる。
【００１２】
また、表示部１１２は、支持アーム１１２ａとの間にスライド部材１１２ｂと球面軸受け１１２ｃとを有し、ユーザ操作に基づいて、さらに詳細な位置および傾きなどを調整可能である。図２に、表示部１１２が有する画像表示素子と、ユーザの眼との関係について示す。表示部１１２は、図２Ａの側面図に示すように、支持アーム１１２ａを矢印ａの方向にスライドさせることで、矢印ａの方向にスライド可能であり、ユーザの眼を基準とした前後位置を調整可能である。また、表示部１１２は、球面軸受け１１２ｃにより矢印ｅの方向に回転可能であるとともに、図２Ｂの上面図に示すように、球面軸受け１１２ｃにより矢印ｆの方向にも回転可能である。したがって、ユーザの眼を基準とした傾きを調整可能である。また、表示部１１２は、図２Ｃの正面図に示すように、スライド部材１１２ｂにより矢印ｇの方向にスライド可能であり、ユーザの眼を基準とした左右位置を調整可能である。また、表示部１１２は、図２Ｄの正面図に示すように、球面軸受け１１２ｃにより矢印ｉの方向に回転可能である。したがって、ユーザの眼の光軸と垂直な面内における傾きを調整可能である。
【００１３】
リモートコントローラ１０２は、図１に示すように、前面に電源ボタン、十字ボタン、メニューボタンなどの操作部１２０を備えるとともに、上面に通信部１２１を備える。また、ターミナル１０３は、図１に示すように、上面に通信部１３１を備える。なお、ターミナル１０３には、液晶モニタなどの表示部やボタンなどの操作部を備えても良い。また、ターミナル１０３に、記録媒体を着脱可能な構成としても良い。
【００１４】
図３は、頭部装着型ディスプレイ１００の機能ブロック図である。
リモートコントローラ１０２は、各部を制御する制御部１２２を備える。制御部１２２は、操作部１２０の状態を検知するとともに、通信部１２１と相互に接続される。
ターミナル１０３は、表示部１１２の表示を制御する表示制御部１３２、ケーブルなどを介してコンピュータなどの外部機器と接続する接続部１３３、表示部１１２に表示する画像情報、スピーカ１１１に出力する音声情報に加えて、後述する位置調整ガイダンスに関する情報を記憶する記憶部１３４の各部を備えるとともに、各部を制御する制御部１３５を備える。
【００１５】
制御部１３５は、通信部１３１、表示制御部１３２、接続部１３３、記憶部１３４の各部と相互に接続される。また、表示制御部１３２の出力は通信部１３１に接続される。
制御部１３５は、通信部１３１および通信部１２１を介してリモートコントローラ１０２から送られる指示にしたがって、通信部１３１、通信部１２１、通信部１１０を介してスピーカ１１１に対する音声の再生や、表示部１１２に対する画像の表示を行う。また、制御部１３５は、内部に不図示のタイマーを備える。
【００１６】
以上説明した構成の頭部装着型ディスプレイ１００における、電源ＯＮ時の制御部１３５の動作について、図４のフローチャートを用いて説明する。
ステップＳ１において、制御部１３５は、電源がＯＮされたか否かを判定する。制御部１３５は、リモートコントローラ１０２の操作部１２０を介して電源がＯＮされたと判定すると、ステップＳ２に進む。
【００１７】
ステップＳ２において、制御部１３５は、画像再生モードであるか否かを判定する。モードの設定は、ユーザにより、リモートコントローラ１０２の操作部１２０を介して予め行われる。制御部１３５は、画像再生モードない場合には、モードに応じて公知技術と同様の処理を行う。例えば、音声再生モードにおいては、公知技術と同様に音声の再生を行う。画像再生モードである場合には、制御部１３５は、ステップＳ３に進む。
【００１８】
ステップＳ３において、制御部１３５は、電源ＯＮの回数が所定値Ｘ１未満であるか否かを判定する。電源ＯＮの回数は、頭部装着型ディスプレイ１００の電源がＯＮされるたびに、制御部１３５によりカウントされる。また、所定値Ｘ１とは予め定められた閾値（例えば、「５回」など）であり、電源ＯＮの回数が所定値Ｘ１未満である場合には、ユーザが頭部装着型ディスプレイ１００の使用について初心者であると推定することができる。制御部１３５は、電源ＯＮの回数が所定値Ｘ１未満であると判定するとステップＳ４に進み、電源ＯＮの回数が所定値Ｘ１以上であると判定すると、後述するステップＳ７に進む。
【００１９】
ステップＳ４において、制御部１３５は、第１モードの位置調整ガイダンスを行う。第１モードの位置調整ガイダンスとは、初心者向けの位置調整ガイダンスである（詳細は後述する）。制御部１３５は、記憶部１３４から第１モードの位置調整ガイダンスに関する情報を読み出し、表示制御部１３２により適当な処理を施した後に、通信部１３１、通信部１２１、通信部１１０を介して表示部１１２およびスピーカ１１１に出力して位置調整ガイダンスを行う。
【００２０】
ステップＳ５において、制御部１３５は、位置調整ガイダンスが終了したか否かを判定する。制御部１３５は、位置調整ガイダンスが終了するまで待機し、位置調整ガイダンスが終了したと判定すると、ステップＳ６に進む。
ステップＳ６において、制御部１３５は、各部を介して画像の再生を開始する。
一方、ステップＳ３において、電源ＯＮの回数が所定値Ｘ１以上であると判定すると、ステップＳ７において、制御部１３５は、電源ＯＮの回数が所定値Ｘ２未満であるか否かを判定する。所定値Ｘ２とは予め定められた閾値（例えば、「１０回」など）であり、Ｘ２＞Ｘ１である。電源ＯＮの回数が所定値Ｘ２未満である場合には、ユーザが頭部装着型ディスプレイ１００の使用について初心者ではないものの、十分には慣れていないと推定することができる。制御部１３５は、電源ＯＮの回数が所定値Ｘ２未満であると判定するとステップＳ８に進み、電源ＯＮの回数が所定値Ｘ２以上であると判定すると、前述したステップＳ６に進み、各部を介して画像の再生を開始する。すなわち、電源ＯＮの回数が所定値Ｘ２以上である場合には、ユーザが頭部装着型ディスプレイ１００の使用について十分に慣れている上級者であると推定し、位置調整ガイダンスを省略する。
【００２１】
ステップＳ８において、制御部１３５は、第２モードの位置調整ガイダンスを行う。第２モードの位置調整ガイダンスとは、中級者（頭部装着型ディスプレイ１００の使用について初心者ではないものの、十分には慣れていないユーザ）向けの位置調整ガイダンスである（詳細は後述する）。制御部１３５は、記憶部１３４から第２モードの位置調整ガイダンスに関する情報を読み出し、表示制御部１３２により適当な処理を施した後に、通信部１３１、通信部１２１、通信部１１０を介して表示部１１２およびスピーカ１１１に出力して位置調整ガイダンスを行う。そして、制御部１３５は、前述したステップＳ５に進み、ステップＳ５およびステップＳ６で説明した各処理を行う。
【００２２】
なお、所定値Ｘ１，Ｘ２は、予め定められた値でも良いし、ユーザにより指定される値でも良い。
次に、図４のフローチャートのステップＳ４で説明した第１モードの位置調整ガイダンスについて、図５および図６を用いて説明する。
制御部１３５は、まず、図５のＧ１Ａに示す画像を、表示部１１２に表示する。Ｇ１Ａの画像は、支持アーム１１２ａを調整して、表示部１１２をユーザの眼前に配置することを促す文章と、調整する位置や調整方法を示す図または画像とから構成される。ユーザは、このＧ１Ａの画像を目視することにより、調整方法を確認することができる。次に、制御部１３５は、図５のＧ１Ｂに示す画像を、表示部１１２に表示する。Ｇ１Ｂの画像は、支持アーム１１２ａの調整に関する指標画像である。ユーザは、このＧ１Ｂの画像を目視しながら調整を行うことにより、適切な調整を行うことができる。同様に、Ｇ２ＡおよびＧ２Ｂは、表示部１１２の前後位置を調整するための調整方法および指標画像である。また、Ｇ３Ａ、Ｇ３Ｂ、Ｇ４Ａ、Ｇ４Ｂは、表示部１１２の傾きを調整するための調整方法および指標画像である。また、Ｇ５ＡおよびＧ５Ｂは、表示部１１２のユーザの眼を基準とした上下位置および左右位置を調整するとともに、ユーザの眼の光軸と垂直な面内における傾きを調整するための調整方法および指標画像である。
【００２３】
制御部１３５は、図５および図６で説明したＧ１Ａ〜Ｇ５Ｂの画像を順次表示部１１２に表示して位置調整ガイダンスを行う。ユーザは、これらの画像を目視し、調整方法の確認と指標画像を用いた調整とを順次行うことができる。なお、図５および図６で説明したＧ１Ａ〜Ｇ５Ｂの順番は、各部の位置調整を最適な順序に配列したものである。したがって、この順番で調整を行うことにより、初心者であっても効率良く表示部１１２の位置調整を行うことができる。
【００２４】
なお、第２モードの位置調整ガイダンスについては、制御部１３５は、Ｇ１ＡおよびＧ１Ｂを省略し、Ｇ２Ａ〜Ｇ５Ｂの画像を順次表示部１１２に表示して位置調整ガイダンスを行う。Ｇ１ＡおよびＧ１Ｂを省略するのは、Ｇ１ＡおよびＧ１Ｂに示す調整は、中級者であれば位置調整ガイダンス無しで行うことができると考えられるためである。したがって、第１モードの位置調整ガイダンスと第２モードの位置調整ガイダンスとは、内容が異なる位置調整ガイダンスである。
【００２５】
また、第２モードの位置調整ガイダンスにおいて、第１モードの位置調整ガイダンスの一部を省略する代わりに、位置調整ガイダンスに含まれる情報の内容を変更する構成としても良い。例えば、図７に示すように、指標画像のデザインを変更しても良い。図７Ａ〜Ｃの例では、指標画像の枠の大きさを変更する例を示す。このように指標画像の枠の大きさを小さくすることにより、位置調整の厳密さを緩めることができる。例えば、初心者には、図７Ｃに示す小さい枠の指標画像を用いて位置調整ガイダンスを行うことにより、おおよその調整を促し、位置調整がうまくできない場合に起こるストレスを軽減することができる。また、上級者には、図７Ａに示す大きい枠の指標画像を用いて位置調整ガイダンスを行うことにより、より精細な位置調整を促すことができる。
【００２６】
また、第２モードの位置調整ガイダンスにおいて、位置調整ガイダンスの一部を省略する代わりに、調整方法に関する文章や図または画像を簡略化しても良い。
なお、図４のフローチャートでは、電源ＯＮの回数に基づいて、位置調整ガイダンスを行うか否か、または、位置調整ガイダンスのレベルを決定する例を示したが、累積使用時間や頭部装着型ディスプレイを前回使用してから今回使用するまでの経過時間などに基づいて決定する構成としても良い。また、いくつかの条件を組み合わせて決定する構成としても良い。なお、電源ＯＮの回数については、電源ＯＮした回数自体をカウントしても良いし、電源ＯＮ後に画像再生を行った回数をカウントしても良い。また、累積使用時間については、画像を観察した時間をカウントしても良いし、表示部１１２の位置に基づいて時間をカウントしても良いし、頭部装着型ディスプレイ１００を頭部に装着した時間をカウントしても良い。また、経過時間については、前回使用してから今回使用するまでの時間が長い場合には、ユーザによる表示部１１２の位置調整が困難であると推定して、位置調整ガイダンスを行う構成とすれば良い。
【００２７】
＜変形例＞
上述した図４のフローチャートでは、電源ＯＮ時、画像再生の前に位置調整ガイダンスを行う例を示したが、画像の表示中に位置調整ガイダンスを行っても良い。図８のフローチャートを用いて、変形例について説明する。
ステップＳ１１において、制御部１３５は、電源がＯＮされたか否かを判定する。制御部１３５は、リモートコントローラ１０２の操作部１２０を介して電源がＯＮされたと判定すると、ステップＳ１２に進む。
【００２８】
ステップＳ１２において、制御部１３５は、リモートコントローラ１０２の操作部１２０を介して画像再生が指示されたか否かを判定する。制御部１３５は、画像再生が指示されない場合には、行われた指示に応じて公知技術と同様の処理を行う。画像再生が指示されたと判定すると、制御部１３５は、ステップＳ１３に進む。
ステップＳ１３において、制御部１３５は、制御部１３５内のタイマーをＯＮする。
【００２９】
ステップＳ１４において、制御部１３５は、各部を介して画像の再生を開始する。
ステップＳ１５において、制御部１３５は、ユーザにより表示部１１２の位置調整が行われたか否かを判定する。位置調整が行われたか否かの判定は、各調整箇所に調整内容を検出する検出部を設けることにより実現できる。位置調整が行われたか否かの判定においては、位置調整が行われた回数、位置調整が行われた箇所、位置調整の頻度などより詳細な調整内容を閾値としても良い。また、調整内容に応じて、位置調整ガイダンスのレベルや内容を変更する構成としても良い。位置調整が行われた場合には、表示部１１２が適切な位置に調整されていないか、または、表示部１１２の位置がずれたと推定することができる。
【００３０】
制御部１３５は、位置調整が行われたと判定すると後述するステップＳ１７に進み、位置調整が行われていないと判定すると、ステップＳ１６に進む。
ステップＳ１５において、表示部１１２の位置調整が行われていないと判定すると、ステップＳ１６において、制御部１３５は、タイマーにより測定した経過時間が所定時間Ｔ１以上であるか否かを判定する。所定時間Ｔ１とは予め定められた閾値（例えば、「１時間」など）であり、経過時間が所定時間Ｔ１以上である場合には、継続的な使用により表示部１１２の位置がずれていると推定することができる。制御部１３５は、経過時間が所定時間Ｔ１以上であると判定すると後述するステップＳ１７に進み、経過時間が所定時間Ｔ１未満であると判定すると、ステップＳ１５に戻る。そして、位置調整が行われるか、経過時間が所定時間Ｔ１以上になるまでステップＳ１５およびステップＳ１６を繰り返す。なお、所定時間Ｔ１は、予め定められた値でも良いし、ユーザにより指定される値でも良い。
【００３１】
位置調整が行われるか、または、経過時間が所定時間Ｔ１以上になると、ステップＳ１７において、制御部１３５は、図４のステップＳ８で説明した第２モード（中級者用）の位置調整ガイダンスを行う。
ステップＳ１８において、制御部１３５は、リモートコントローラ１０２の操作部１２０を介して、位置調整ガイダンスの中止指示を受け付けたか否かを判定する。制御部１３５は、中止指示を受け付けたと判定するとステップＳ１９に進み、中止指示を受け付けていないと判定すると、後述するステップＳ２０に進む。
【００３２】
ステップＳ１９において、制御部１３５は、位置調整ガイダンスを中止し、画像の再生を再開して、一連の処理を終了する。
一方、ステップＳ１８において、中止指示を受け付けていないと判定すると、ステップＳ２０において、制御部１３５は、位置調整ガイダンスが終了したか否かを判定する。制御部１３５は、位置調整ガイダンスが終了するまで待機し、位置調整ガイダンスが終了したと判定すると、ステップＳ１５に戻り、再び位置調整が行われたか否かを判定する。
【００３３】
なお、図４から図８で説明した位置調整ガイダンスは、一例であり、調整方法を示す文章、図、画像や指標画像はこの例に限定されない。
また、図４および図８のフローチャートで説明した処理を適宜組み合わせて実行しても良い。例えば、図４で説明したように、電源ＯＮの回数に基づいて、位置調整ガイダンスを行うか否か、または、位置調整ガイダンスのレベルを決定した後に、図８のステップＳ１５およびステップＳ１６で説明した判定を行う構成としても良い。このような構成とすることにより、位置調整ガイダンスを省略した場合においても、位置調整が行われた場合や所定時間が経過した場合に、適切な位置調整ガイダンスを行うことができる。
【００３４】
また、図４のフローチャートに、図８のフローチャートので説明した中止指示の受け付けを組み合わせても良い。このような構成とすることにより、ユーザの要望に応じて位置調整ガイダンスを中止することができる。なお、位置調整ガイダンスを中止した場合であっても、一定時間以上再生状態に移行しない場合には、位置調整ガイダンスを行う構成としても良い。
【００３５】
以上説明したように、本実施形態によれば、頭部装着型ディスプレイにおける表示部の位置調整ガイダンスを再生する再生部を備え、累積使用時間と使用回数と頭部装着型ディスプレイを前回使用してから今回使用するまでの経過時間との少なくとも１つに基づいて、再生部により位置調整ガイダンスを再生するか否かを決定するか、または、再生部による位置調整ガイダンスの開示レベルを決定する。したがって、ユーザに応じた位置調整ガイダンスを行うことができる。
【００３６】
また、本実施形態によれば、累積使用時間と使用回数と経過時間との少なくとも１つに基づいて、再生部による位置調整ガイダンスの開示レベルを決定し、決定した開示レベルに応じて、位置調整ガイダンスに含まれる調整手順の開示の種類の変更と、位置調整ガイダンスに含まれる開示内容の変更の少なくとも一方を行う。したがって、ユーザに応じたレベルの位置調整ガイダンスを行うことができる。
【００３７】
また、本実施形態によれば、表示部に画像を表示中に位置調整ガイダンスを再生する。したがって、表示部が適切な位置に調整されていない場合や、表示部の位置がずれたと推定される場合などに、適切な位置調整ガイダンスを行うことができる。
また、本実施形態によれば、ユーザによる表示部の調整内容を検出し、累積使用時間と使用回数と経過時間との少なくとも１つに加えて、調整内容に基づいて、再生部により位置調整ガイダンスを再生するか否かを決定するか、または、再生部による位置調整ガイダンスの開示レベルを決定する。したがって、表示部が適切な位置に調整されていない場合や、表示部の位置がずれたと推定される場合などに、適切な位置調整ガイダンスを行うことができる。
【００３８】
また、本実施形態によれば、再生部による位置調整ガイダンスの再生中に、位置調整ガイダンスの再生を中止するユーザ指示を受け付ける。したがって、ユーザの要望に応じて位置調整ガイダンスを中止することにより、無駄な位置調整ガイダンスを行うことを回避し、速やかに画像の再生を行う（または再開する）ことができる。
また、本実施形態によれば、頭部装着型ディスプレイの使用開始から所定時間が経過すると、位置調整ガイダンスを再生する。したがって、継続的な使用により表示部の位置がずれていると推定される場合などに、適切な位置調整ガイダンスを行うことができる。
【００３９】
なお、本実施形態において、位置調整ガイダンスの履歴を記憶して利用すると良い。例えば、位置調整ガイダンスを中止するユーザ指示を受け付けた場合には、以降の使用時に、位置調整ガイダンスを行うか否か、または、位置調整ガイダンスのレベルを決定する際の閾値を引き上げたり、位置調整ガイダンスを行わないといった対応をすることができる。また、調整に要した時間を記憶して利用する構成としても良い。
【００４０】
また、本実施形態において、位置調整ガイダンスを開始する際に、ユーザに位置調整ガイダンスが必要であるか否かを確認する構成としても良い。例えば、図８のフローチャートのステップＳ１５およびステップＳ１６で説明したように、画像の表示中に位置調整ガイダンスを行う場合には、ユーザに対して確認を行うことにより、不要な位置調整ガイダンスを行うことを防ぐことができる。
【００４１】
また、本実施形態では、表示部１１２を用いた位置調整ガイダンスについて説明したが、スピーカ１１１を用いた音声による位置調整ガイダンスについても同様に本発明を適用することができる。また、本実施形態で説明した表示部１１２を用いた位置調整ガイダンスにスピーカ１１１を用いた音声による位置調整ガイダンスを組み合わせる構成としても良い。音声による位置調整ガイダンスを組み合わせる場合には、表示部１１２に表示する画像と同期した音声情報を再生すれば良い。また、位置調整ガイダンスのレベルに応じて、例えば、調整方法を示す文章、図、画像などを省略し、音声情報のみを利用する構成としても良い。
【００４２】
また、本実施形態で説明した構成以外の頭部装着型ディスプレイにも本発明を同様に適用することができる。例えば、表示部を頭頂部方向に跳ね上げるオーバーヘッドアーム形状の頭部装着型ディスプレイの代わりに、表示部をスライド式に出し入れする頭部装着型ディスプレイにも本発明を同様に適用することができる。また、本実施形態で説明したターミナルと本体とが一体となった頭部装着型ディスプレイにも本発明を同様に適用することができる。
【００４３】
また、本実施形態では、片側のみに表示部を備える例を示したが、両側に表示部を備える頭部装着型ディスプレイにも同様に本発明を適用することができる。
【図面の簡単な説明】
【００４４】
【図１】頭部装着型ディスプレイ１００の外観図である。
【図２】表示部１１２の位置調整について説明する図である。
【図３】頭部装着型ディスプレイ１００の機能ブロック図である。
【図４】頭部装着型ディスプレイ１００の動作について説明するフローチャートである。
【図５】位置調整ガイダンスについて説明する図である。
【図６】位置調整ガイダンスについて説明する図である（続き）。
【図７】指標画像について説明する図である。
【図８】頭部装着型ディスプレイ１００の動作について説明する別のフローチャートである。
【符号の説明】
【００４５】
１００…頭部装着型ディスプレイ，１１１…スピーカ，１１２…表示部，１１２ａ…支持アーム，１３４…記憶部，１３５…制御部                                                                                
【図１】
0004572848.tif 000002
【図２】
0004572848.tif 000003
【図３】
0004572848.tif 000004
【図４】
0004572848.tif 000005
【図５】
0004572848.tif 000006
【図６】
0004572848.tif 000007
【図７】
0004572848.tif 000008
【図８】
0004572848.tif 000009